(57)【特許請求の範囲】
【請求項１】
履物用の耐水性で通気性のある靴底（10；110；210）であって、
革又はそれと類似の材料でできた同様に通気性の底（11；111；211）、
上部領域で上記の底を少なくとも部分的に被覆する通気性でかつ耐水性の材料からなる膜（12；113；211）
および
少なくとも周縁に沿って上記の底と共に組み合わされ、少なくとも該膜の影響を受ける領域に１つ以上の貫通孔（14；115；214）を備えた、ゴム又はそれと同等に不透過性の材料でできた少なくとも１つの上部部材（13；114；213）とからなり、
上記の上部部材が上記膜の少なくとも周辺領域を被覆することを特徴とする靴底。
【請求項２】
ゴム又はそれと同等の材料でできた上記上部部材（114）はスタッド（116）を備え、該スタッド（116）は上記底をその貫通孔（112）から貫通し、実質的に地面に接する位置を終端としていることを特徴とする請求項１記載の靴底。
【請求項３】
上記上部部材（13；114；213）はポリウレタン、エチレン酢酸ビニル（ＥＶＡ）又はこれらと同等の材料等の軟質衝撃吸収材料でできていることを特徴とする請求項２記載の靴底。
【請求項４】
ゴム又はそれと同等の材料でできた上記上部部材（13；114；213）は、上記膜（12,113,212）の処で貫通孔を有するポリウレタン、エチレン酢酸ビニル（ＥＶＡ）又はこれらと同等の材料等の軟質衝撃吸収材料でできた部材で被覆されていることを特徴とする請求項２記載の靴底。
【請求項５】
上記膜（12,113,212）は実質的に足裏に対応する領域を覆い、その周縁は上記底（11；111；211）の縁から間隔をおいて位置することを特徴とする請求項1乃至４のいずれか１項に記載の靴底。
【請求項６】
上記膜（12,113,212）は蒸発作用を妨害しないように塗布された接着剤によて上記底（11；111；211）に接合されていることを特徴とする請求項1乃至５のいずれか１項に記載の靴底。
【請求項７】
通気性で耐水性の材料からなる上記膜（12,113,212）はゴアテックス（Gore-Tex）（登録商標）又はそれと同等の材料から構成されていることを特徴とする請求項1乃至６のいずれか１項に記載の靴底。
【請求項８】
ゴム又はそれと同等の材料でできた上記上部部材（13；114；213）は上記底（11；111；211）の周縁と同様の形状を備えるとともに、上記膜の縁を被覆することを特徴とする請求項1乃至７のいずれか１項に記載の靴底。
【請求項９】
ゴム又はそれと同等の材料でできた上記上部部材（13；114；213）の１以上の貫通孔（14）は先細りの縁を備えていることを特徴とする請求項1乃至８のいずれか１項に記載の靴底。
【発明の詳細な説明】
【０００１】
【産業上の利用分野】
本発明は、耐水性で発散作用のある履物用靴底に関するものである。
【０００２】
【従来の技術】
公知のように、革やその同等材料等の天然材料でできた通常の靴底を有する履物を使用する際に見られる主な問題は、湿気の多い天候である。
【０００３】
雨や悪天候によって道路が濡らされて滑りやすくなった時、革底の履物を使用することは実際上賢明でない。なぜなら、革は蒸気透過性であり足の健康上は好ましいとしても、耐水性がなく逆に水を吸収するからである。
【０００４】
革は薄くなればなるほど水や湿気を速く含浸して使用者の足を湿らせる。
【０００５】
また、この欠点は、革の地面に触れる部分が凹凸模様を備えておらず滑らかであり、またワックスで磨かれることすらあるという事実と組み合い、かかる条件下ではグリップが不確かになるため、湿気の多い天候におけるもう一つの問題となる。
【０００６】
したがって、地面に触れる部分が革でできた靴底を使用することは気候条件によって制限され、かかる理由から、製造者は、一般に、この種の材料でできた履物を、乾燥した季節が大半を占める国々における夏物コレクションとして提供している。
【０００７】
今までに、かかる欠点は、靴の革底と足の接する面との間にポリウレタン又はポリ塩化ビニル（ＰＶＣ）の要素を挿入することにより防止されてきたが、これは発散作用を阻害し、革の使用を単なる美的効果だけに止めていた。
【０００８】
【発明が解決しようとする課題】
本発明の主な目的は、公知の革底の履物における上述の欠点を解消する靴底を提供することにある。
【０００９】
本発明の別の目的は、いかなる使用条件においても地面のグリップ特性が良好な靴底を提供することにある。
【００１０】
本発明のさらに別の目的は、衝撃吸収特性を有する靴底を提供することにある。
【００１１】
本発明のさらに重要な別の目的は、現在市販されている革底の特性と同じ利点を備えた靴底を提供することにある。
【００１２】
本発明のさらに別の目的は、使用者の心地良さを増大させることにある。
【００１３】
本発明のさらに別の目的は、低コストで製造することが可能で、競争力ある価格で販売することができる靴底を提供することにある。
【００１４】
本発明のさらに別の目的は、公知の装置と方法で製造することができる靴底を提供することにある。
【００１５】
【課題を解決しようとする手段】
上記及びその他の想定しうる目的の下に、本発明に従えば、履物用の耐水性で発散作用のある靴底であって、革又はそれと類似の材料でできた底を備え、該底は上部領域にて蒸気透過性で耐水性の材料からなる膜で少なくとも一部分被覆されており、しかも該底は少なくともその周辺に沿ってゴム又はその同等材料でできた少なくとも１つの上部部材と組み合わされており、該上部部材は少なくとも該膜の影響を受ける領域、例えば該膜に対向する領域に１以上の貫通孔を備えてなることを特徴とする靴底が提供される。
【００１６】
本発明の別の特徴及び利点は、非制限的例示である添付の図面に示された好ましい具体例に関する以下の記述から明らかであろう。
【００１７】
【実施例】
図１及び図２を参照するに、耐水性で発散作用又は蒸気透過性のある履物用靴底の第１の具体例は、数字１０で全体的に示されており、革又はそれに類似の材料でできた底１１を備えている。この底１１は上部領域、即ち実質的に足の裏に対向する領域で膜１２によって覆われている。この膜１２は不浸透性であるが蒸気を透過可能であり、好ましくはゴアテックス(Gore-Tex)（登録商標）やその他の同等材料等の材料でできている。
【００１８】
膜１２の周縁は底１１の縁から間隔をおいて位置し、適当な接着剤を用いて接合されており、底１１と一体構造体を形成している。かかる接着剤は、例えば、膜の周縁に沿って塗り付けられる。
【００１９】
底１１の上には、ゴム、ポリウレタン、ポリ塩化ビニル（PVC）又はその他の同等の材料でできた上部周縁部材１３が、例えば射出成形によって組み立てられ、周縁部材１３は膜１２の周縁領域を被覆するとともに、その先細の内方縁によって中央開口１４を規定し、そこから上記膜を露出させている。
【００２０】
膜１２は水及び湿気に対するバリアを形成するが、革底１１の存在により靴底の蒸気透過性は保たれている。かくして、底部からの靴底を介した水の通過は防止される一方で、上部からの靴底を介した蒸気の通過は可能である。
【００２１】
図３及び図４を参照するに、第２の具体例において、靴底は全体的に数字１１０で示されており、革又はそれと類似の材料でできた底１１１を備えている。該底１１１は周縁領域に貫通孔１１２を備えている。
【００２２】
底１１１は孔１１２よりも内方に位置する領域で前述の膜１２と同様の膜１１３によって被覆されている。該膜１１３は適当な接着剤によって底１１１に接合されている。
【００２３】
上部領域では、ゴム、ポリウレタン、ＴＲ、ＰＶＣ又はこれらと同等の材料でできた周縁部材１１４が、例えば射出成形によって靴底１１１に組み立てられており、膜１１３の縁を密閉するとともに、中央に残された広い開口１１５から上記膜を露出させている。
【００２４】
上記周縁部材１１４は貫通孔１１２に嵌合するスタッド１１６を備え、該部材１１４が射出成形によって製造される場合、スタッド１１６はその射出成形時に直接成形される。
【００２５】
該スタッド１１６の下方部分は、靴底に把持力を有する材料でできた領域をもたらし、該材料はその把持特性が乾燥した天候及び湿った天候のいずれにおけるいかなる使用条件下でも十分なように選定される。図４に示されるように、該スタッド１１６の下方端は底１１１の下面と同一平面を成している。
【００２６】
この上部周縁部材１１４は射出成形のみならず、あらかじめ成形した要素を接着剤で接合することによって底１１１上に組み立てることもできるし、型内で膜１１３が施された底１１１の上に該部材１１４を注ぐことによっても組み立てられるし、また、単にスナップ式止め金や耐水化された縫合材で連結することもできる。
【００２７】
図５及び図６を参照するに、第３の具体例において、靴底は数字２１０によって示されており、革又はこれと類似の材料でできた底２１１を備えている。該底２１１上部の非周縁領域は膜２１２によって覆われている。該膜２１２は、例えばその周縁領域に塗り付けられた接着剤によって底２１１に接合されている。
【００２８】
ポリウレタン、エチレン酢酸ビニル（EVA）又はこれらと同等製品等の軟質材料でできた衝撃吸収機能を有する中底２１３が底２１１の上部領域に組み立てられている。
【００２９】
該中底２１３は、その衝撃吸収機能を果す必要があるため、膜２１２の領域でさえも底２１１を完全に覆っているが、その中央域に貫通孔２１４を備えている。この貫通孔２１４は内側から外側への発散作用を許容するのに適している。
【００３０】
靴底の別の具体例によれば、貫通孔を備えた底の上に、該貫通孔に収容されるゴムスタッドを備えた部材と衝撃吸収部材との両者を組み合わせることも可能である。例えば、図３及び図４に示される靴底１１０の上部部材１１４を図６及び図７に示される衝撃吸収性の中底２１３で被覆することも可能である。
【００３１】
本発明によりその目的が達成されることは実際上確認されている。
【００３２】
実際、本発明の靴底は、革底の品質特性、特に蒸気透過性を備えるとともに、ゴム又は合成材料でできた靴底の品質特性、特に不浸透性をも兼ね備えている。
【００３３】
本発明の別のさまざまな具体例では、耐スリップ性と衝撃吸収性をも備えている。
【００３４】
さらに、本発明の靴底は従来の製造法によって特別の困難を伴わずに製造することができる。
【００３５】
かくして完成された本発明には、その技術思想の範囲内において多数の改変や修正を行うことが可能である。さらに、本発明のすべての構成要素は他の技術的に均等な要素と置換することも可能である。本発明の実施に際して、材質及び寸法はその企図する用途に適合する限りにおいて何らの制約も受けるものではない。
【図面の簡単な説明】
【図１】本発明の靴底の第１の具体例を破断して示した斜視図である。
【図２】図１の靴底の横方向断面斜視図である。
【図３】本発明の靴底の第２の具体例を分解して示す斜視図である。
【図４】図３の靴底を組み立てた状態で示す横方向断面斜視図である。
【図５】本発明の靴底の第３の具体例を分解して示す斜視図である。
【図６】図５の靴底を組み立てた状態で示す横方向断面斜視図である。
【符号の説明】
１０，１１０，２１０    靴底
１１，１１１，２１１    底
１２，１１３，２１２    膜
１３，１１４，２１３    上部部材
１４、１１５ 広い開口
２１４ 貫通孔
１１２              底の貫通孔
１１６              スタッド
【図１】
0003989973.tif 000002
【図２】
0003989973.tif 000003
【図３】
0003989973.tif 000004
【図４】
0003989973.tif 000005
【図５】
0003989973.tif 000006
【図６】
0003989973.tif 000007